(57)【特許請求の範囲】
【請求項１】
光学部品を光学部品取付具により被取付部材に取り付ける光学部品取付構造であって、
前記被取付部材には位置決め部が形成され、
前記光学部品取付具は、前記位置決め部と係合する係合部と、前記係合部が係合した状態で前記光学部品を押圧する押圧部を有し、
前記位置決め部又は前記位置決め部近傍には前記係合部を押し広げる拡開部が形成され、
前記光学部品取付具が前記被取付部材に対して相対移動することにより、前記係合部が前記拡開部により押し広げられ前記位置決め部との係合が解除されることを特徴とする光学部品取付構造。
【請求項２】
前記光学部品取付具の相対移動により前記係合部が前記拡開部により塑性変形されることを特徴とする請求項１に記載の光学部品取付構造。
【請求項３】
前記光学部品取付具の相対移動により前記係合部が前記拡開部により弾性変形されることを特徴とする請求項１に記載の光学部品取付構造。
【請求項４】
被取付部材には凹部が形成され、
前記光学部品取付具には前記凹部の縁部上に載置される支持部が形成され、前記光学部品取付具の前記凹部側への押圧により前記支持部が弾性変形することを特徴とする請求項１乃至３のいずれか１項に記載の光学部品取付構造。
【請求項５】
前記光学部品取付具の相対移動は、回転移動であることを特徴とする請求項１乃至３のいずれか１項に記載の光学部品取付構造。
【請求項６】
光学部品を光学部品取付具により被取付部材に取り付ける光学部品取付構造であって、
前記被取付部材には位置決め部が形成され、
前記光学部品取付具は、前記位置決め部と係合する係合部と、前記係合部が係合した状態で前記光学部品を押圧する押圧部を有し、
前記光学部品取付具の端部が前記被取付部材上に形成された凹部上に位置し、前記光学部品取付具の端部を前記凹部側に変形又は前記光学部品取付具を前記凹部側に傾斜させることにより、前記係合部と前記位置決め部との係合が解除されることを特徴とする光学部品取付構造。
【請求項７】
前記係合部の先端には、係合時に前記位置決め部の少なくとも一部が挿入する切欠きが形成されていることを特徴とする請求項１乃至６のいずれか１項に記載の光学部品取付構造。
【請求項８】
前記位置決め部には、前記光学部品取付具の取付時に前記光学部品取付具の係合部を変形させ、該光学部品取付具が所定位置にきたときに前記係合部の変形を解除する段差が設けられたことを特徴とする請求項１乃至７のいずれか１項に記載の光学部品取付構造。
【請求項９】
光を放射する光源と、前記光が照射される被走査体と、前記光源から放射された光を前記被走査体に導く光学部品と、を有する光学走査装置であって、
請求項１乃至８のいずれか１項に記載の光学部品取付構造を備えたことを特徴とする光学走査装置。
【発明の詳細な説明】
【０００１】
【発明の属する技術分野】
本発明は、光ビームを画像情報に応じて被走査体上に走査露光することにより、画像を記録するレーザプリンタや、デジタル複写機等の電子写真装置に用いられる光学部品取付構造及び光学走査装置に関する。
【０００２】
【従来の技術】
図８１に示すように、従来の光学走査装置５００では、情報を含む光ビームＬを出射する光源５０２と、この光源５０２から出射された光ビームＬを所定の方向へ偏向させるポリゴンミラー５０４と、ポリゴンミラー５０４で反射した光ビームＬの走査速度を一定になるように補正するｆθレンズ５０６と、ｆθレンズ５０６で平行光とされた光ビームＬを反射する反射ミラー５０８等の光学部品を備えており、これらの光学部品がスクリュー５１０によりフレーム５１２に固定されたハウジング５１４（光学箱）内部に収容されている。
【０００３】
上記光学走査装置５００は電子写真装置（図示省略）に組み込まれ、帯電手段（図示省略）により均一に帯電された被走査体５１６に、反射ミラー５０８で反射された光ビームＬを主走査させることにより露光され、情報の静電潜像が形成される。
【０００４】
被走査体５１６に静電潜像が形成された後、現像手段（図示省略）により被走査体５１６にトナー像が形成される。被走査体５１６にトナー像が形成された後、紙送り手段（図示省略）により搬送された記録紙（図示省略）にトナー像が付着される。トナー像が付着された記録紙は、定着手段（図示省略）により定着させられ、これにより電子写真プロセスが完了する。
【０００５】
ところで、上記光学走査装置５００内部に収容される光学部品の取付けは、各種方法がある。特に、最近では、光学走査装置５００をリサイクルするときに分解し易い方法が提案されている。
【０００６】
例えば、特開平７−３２５２３９号公報にはレンズの固定方法が記載されている（従来技術１）。
【０００７】
図８２に示すように、このレンズの固定方法では、ハウジング５１８に設けられたレンズ位置決め部５２０にレンズ５２２を当接させ、弾性体５２４で固定する。
【０００８】
ここで、弾性体５２４にはフック５２６が形成されており、ハウジング５２８に設けられた係合部５２８に係合する。このようにこの弾性体５２４は、いわゆるスクリューを必要としないスナップフィットスプリングとなっている。
【０００９】
さらに、係合部５２８の近傍には空間部５３０が形成されており、分解時には工具（図８２では図示省略）を外部から空間部５３０に挿入し、係合部５２８を折ることにより、弾性体５４２によるレンズ５２２の固定を解除する。
【００１０】
また、別の態様として、図８３に示すように、ハウジング５１８に段差として基台５３２を設けてレンズ位置決め部５２０、レンズ５２２及び弾性体５２４の位置を高くするとともに、係合部５２８近傍に空間（図示省略）を形成し、外部から工具５３４を空間に挿入させて上記係合部５２８を折ってもよい。
【００１１】
また、特開平１１−２２３７８８号公報には、光ビームを折り返す反射ミラーの固定方法が記載されている（従来技術２）。
【００１２】
図８４に示すように、ハウジング５３６に設けられた反射ミラー位置決め部５３８に反射ミラー５４０を当接させ、弾性体５４２で固定する。弾性体５４２にはフック５４４が形成されており、このフック５４４がハウジング５３６に設けられた係合部５４６に係合する。このようにこの弾性体５４２は、いわゆるスクリューを必要としないスナップフィットスプリングとなっている。
【００１３】
さらに、図８５に示すように、上記フック５４４の先端部には「く」の字状の取外部５４８が形成されており、分解時には、工具５５０の先端をハウジング５３６の下側から挿入してフック５４４の取外部５４８を押し込み、フック５４４を係合部５４６から開放する。これにより、容易に分解できる。
【００１４】
また、実開平２−１９１０８号公報には、光ビームを折り返す反射ミラーの固定方法が記載されている（従来技術３）。
【００１５】
図８６に示すように、ハウジング５５２に設けられた反射ミラー位置決め部５５４に反射ミラー５５６を当接させ、弾性体５５８で固定する。弾性体５５８にはフック５６０が形成されており、このフック５６０がハウジング５５２に形成された係合部５６２と係合する。このように、上記弾性体５５８は、いわゆるスクリューを必要としないスナップフィットスプリングとなっている。
【００１６】
一方、図８７に示すように、ハウジング５６４に設けられた反射ミラー位置決め部５６６に台形ミラー５６８を当接させ、弾性体５７０で固定する。弾性体５７０にはフック５７２が形成されており、このフック５７２がハウジング５６４に形成された係合部５７４と係合する。このように、この弾性体５７０は、いわゆるスクリューを必要としないスナップフィットスプリングとなっている。
【００１７】
分解時には、ハウジング５６４の横に設けられたサービスホール５７６から工具（図示省略）を差し込み、工具の先端でフック５７２を押すことによりフック５７２と係合部５７４との係合を解除する。これにより、容易に分解できる。
【００１８】
また、特開平９−１２７４４８号公報には、ポリゴンモータの固定方法が記載されている（従来技術４）。
【００１９】
図８８に示すように、ポリゴンモータ５７８には、ポリゴンモータ上下方向基準部５８０、スラストカム５８２、ポリゴンモータ基準部５８４が設けられている。
【００２０】
一方、図８９に示すように、ハウジング５８６には、上記スラストカム５８２が挿入する取付穴５８８、ポリゴンモータ基準部５８４を精度良く位置決めするハウジング基準部５９０、ポリゴンモータ上下方向基準部５８０の上下方向位置決めを担うハウジング側ポリゴンモータ上下方向基準部５９２が設けられている。
【００２１】
ポリゴンモータ５７８をハウジング５８６に取付けるには、図８９及び図９０に示すように、スラストカム５８２が取付穴５８８を通過した後、ポリゴンモータ５７８を図８９中矢印Ｘ方向に回転させると、スラストカム５８２がハウジング裏面の段差５９４を乗り越え、ハウジング裏面の斜面５９６をスライドし、図８９中の１点鎖線の位置で位置決めされ、取付終了となる。なお、分解時は、上記した手順と逆の手順で行われる。
【００２２】
ここで、上記各従来技術の問題点についてそれぞれ述べる。
【００２３】
従来技術１では、分解しやすくなったが、ハウジング５１８の係合部５２８を工具により折るため、ハウジング５１８を再利用することができない問題がある。また、分解時には、ドライバーなどの工具により係合部５２８を折るので、勢いあまって内部の光学部品を傷つけるおそれもある。
【００２４】
従来技術２では、分解時には、弾性体５４２のフック５４４の取外部５４８を工具５５０でこじって、弾性体５４２を外すのでハウジング５３６は再利用できるが、工具５５０は組付け方向とは逆方向（ハウジング５３６下側）から挿入しなければならない。このため、分解時には、作業を容易にするため、ハウジング５３６を逆さにする必要があるが、取外し時、光学部品が落下して傷つけてしまい再使用できない問題がある。
【００２５】
従来技術３では、分解時においては、図８６では、サービスホール５７６から工具を挿入し弾性体５５８のフック５６０を係合部５６２から開放するが、工具の不要な動きで反射ミラー５５６を傷つけてしまうことがある。また、図８７では、サービスホール５７６から工具を挿入し弾性体５７０のフック５７２を押し付けて係合部５７４から開放するが、ハウジング５６４の横側にサービスホール５７６を設ける必要があることから、ハウジング５６４の型構造が複雑になり、コスト高となる問題がある。
【００２６】
従来技術４では、組立時又は分解時には、ポリゴンモータ５７８を矢印Ｘ方向又は矢印Ｘ方向と逆方向に回転させて行うので、ポリゴンモータ上下方向基準部５８０とハウジング側ポリゴンモータ上下方向基準部５９２とが相互に擦り合うことになる。これにより当該部分が相互に擦り減るため、ポリゴンモータ５７８の位置精度が悪くなり、光学走査装置の性能が悪化する問題がある。
【００２７】
【発明が解決しようとする課題】
そこで、本発明は、上記事実を考慮し、被取付部材、光学部品及び光学部品取付具を再利用することができ、また、被取付部材を再利用しても光学部品の位置精度の低下を防止できる光学部品取付構造及び光学走査装置を提供することを課題とする。
【００２８】
【課題を解決するための手段】
請求項１に記載の光学部品取付構造では、光学部品を光学部品取付具により被取付部材に取り付ける光学部品取付構造であって、前記被取付部材には位置決め部が形成され、前記光学部品取付具は、前記位置決め部と係合する係合部と、前記係合部が係合した状態で前記光学部品を押圧する押圧部を有し、前記位置決め部又は前記位置決め部近傍には前記係合部を押し広げる拡開部が形成され、前記光学部品取付具が前記被取付部材に対して相対移動することにより、前記係合部が前記拡開部により押し広げられ前記位置決め部との係合が解除されることを特徴とする。
【００２９】
次に、請求項１に記載の光学部品取付構造の作用効果について説明する。
【００３０】
光学部品は、被取付部材（例えば光学箱）に形成された位置決め部と係合部により係合した光学部品取付具の押圧部に押圧されて、被取付部材に取付けられる。
【００３１】
一方、光学部品の取外し時には、工具などにより押されて光学部品取付具が被取付部材に対して相対移動する。この相対移動により、係合部が拡開部により押し広げられ、位置決め部との係合が解除される。これにより、光学部品が取り外される。
【００３２】
ここで、光学部品取付具の相対移動を実現させる手段として、光学部品取付具が被取付部材に対して所定のクリアランスを設けた状態で光学部品を押圧させるようにしてもよい。この場合、工具により光学部品取付具を押すことにより、光学部品取付具をクリアランスの分だけ移動させることができるため相対移動が可能となる。
【００３３】
また、予めスペーサを被取付部材上に配置し、このスペーサ上に光学部品取付具を取り付け、光学部品取付具の取付後にこのスペーサを外してクリアランスを作る。分解時には、このクリアランスの分だけ光学部品取付具を移動させて分解してもよい。
【００３４】
さらに、被取付部材に凹部を形成し、この凹部上に光学部品取付具を位置させた光学部品を取り付け、分解時には、光学部品取付具を凹部側に押して変形させることにより、被取付部材に対して相対移動させてもよい。
【００３５】
本発明では、光学部品の取外し時において、工具により光学部品取付具を被取付部材に対して相対移動させることにより、光学部品取付具の係合部と位置決め部との係合を解除できる。このため、押圧部による光学部品への押圧が解除され、光学部品を取り外すことができる。この結果、光学部品の取外し時において、被取付部材を破損することがないので、被取付部材を再利用することができる。
【００３６】
また、被取付部材の蓋を開けて、工具により光学部品取付具を相対移動させるだけで光学部品を取り外すことができるため、被取付部材をひっくり返して光学部品を取り外す必要がない。このため、光学部品が落下する危険はなく、光学部品に傷を付けることがないので、光学部品を再利用することができる。
【００３８】
請求項２に記載の光学部品取付構造では、前記光学部品取付具の相対移動により前記係合部が前記拡開部により塑性変形されることが好ましい。
【００４０】
請求項３に記載の光学部品取付構造では、前記光学部品取付具の相対移動により前記係合部が前記拡開部により弾性変形されることが好ましい。
【００４２】
請求項４に記載の光学部品取付構造では、請求項１乃至３の光学部品取付構造において、被取付部材には凹部が形成され、前記光学部品取付具には前記凹部の縁部上に載置される支持部が形成され、前記光学部品取付具の前記凹部側への押圧により前記支持部が弾性変形することが好ましい。
【００４３】
請求項５に記載の光学部品取付構造では、請求項１乃至３のいずれか１項に記載の光学部品取付構造において、前記光学部品取付具の相対移動は、回転移動であることが好ましい。
【００４７】
請求項６に記載の光学部品取付構造では、光学部品を光学部品取付具により被取付部材に取り付ける光学部品取付構造であって、前記被取付部材には位置決め部が形成され、前記光学部品取付具は、前記位置決め部と係合する係合部と、前記係合部が係合した状態で前記光学部品を押圧する押圧部を有し、前記光学部品取付具の端部が前記被取付部材上に形成された凹部上に位置し、前記光学部品取付具の端部を前記凹部側に変形又は前記光学部品取付具を前記凹部側に傾斜させることにより、前記係合部と前記位置決め部との係合が解除されることを特徴とする。
【００４８】
次に、請求項６に記載の光学部品取付構造の作用効果について説明する。
【００４９】
光学部品は、係合部が位置決め部と係合した光学部品取付具の押圧部により押圧されて取付けられている。光学部品の取外し時には、光学部品取付具の端部が凹部上に位置しているため、光学部品取付具の端部を凹部側に変形させることにより、係合部と位置決め部との係合を解除できる。また、光学部品取付具を凹部側に傾斜させることにより、係合部と位置決め部との係合を解除できる。これらにより、押圧片の光学部品への押圧を解除でき、光学部品を取り外すことができる。
【００５０】
請求項７に記載の光学部品取付構造では、前記係合部の先端には、係合時に前記位置決め部の少なくとも一部が挿入する切欠きが形成されていることが好ましい。
【００５１】
請求項８に記載の光学部品取付構造では、前記位置決め部には、前記光学部品取付具の取付時に前記光学部品取付具の係合部を変形させ、該光学部品取付具が所定位置にきたときに前記係合部の変形を解除する段差が設けられたことが好ましい。
【００５２】
請求項９に記載の光学走査装置では、光を放射する光源と、前記光が照射される被走査体と、前記光源から放射された光を前記被走査体に導く光学部品と、を有する光学走査装置であって、請求項１乃至８のいずれか１項に記載の光学部品取付構造を備えたことを特徴とする。
【００５３】
次に、請求項９に記載の光学走査装置の作用効果について説明する。
【００５４】
請求項１乃至８のいずれか１項に記載の光学部品取付構造により光学部品を取り付けることにより、光学部品の取外し時において、工具により光学部品取付具を被取付部材に対して相対移動させることにより、光学部品取付具の係合部と位置決め部との係合を解除できる。このため、押圧部による光学部品への押圧が解除され、光学部品を取り外すことができる。この結果、光学部品の取外し時において、被取付部材を破損することがないので、被取付部材を再利用することができる。
【００５５】
また、被取付部材の蓋を開けて、工具により光学部品取付具を相対移動させるだけで光学部品を取り出すことができ、被取付部材をひっくり返す必要がない。このため、光学部品が落下する危険はなく、光学部品に傷を付けることがないので、光学部品を再利用することができる。
【００５６】
【発明の実施の形態】
以下、添付図面を参照して、本発明の第１実施形態に係る光学走査装置について説明する。
【００５７】
先ず、光学走査装置全体の構成について説明する。
【００５８】
図１に示すように、光学走査装置１０は、スクリュー１２でフレーム１４に固定された光学箱１６を備えている。
【００５９】
光学箱１６の内部には、情報を含む光ビームＬを出射する光源（半導体レーザ）１８を備えている。この光源１８は、スクリュー２０で光学箱１６に固定されている。
【００６０】
光源１８の近傍には、光源１８から出射された光ビームＬを所定の方向へ偏向させるポリゴンミラー２２が設けられている。なお、このポリゴンミラー２２は、ポリゴンモータ２４により回転駆動される。ポリゴンモータ２４は、スクリュー２６で光学箱１６に固定されている。
【００６１】
ポリゴンミラー２２の近傍には、光ビームＬの走査速度を一定に補正するｆθレンズ２８が設けられている。
【００６２】
ｆθレンズ２８の光路下流側には、反射ミラー３０が設けられている。
【００６３】
また、光学箱１６の外部には被走査体３２が配置されており、反射ミラー３０で反射した光ビームＬが光学箱１６に形成された開口部（図示省略）を通って、被走査体３２に照射される。
【００６４】
また、ｆθレンズ２８の近傍には、同期光反射ミラー３４が設けられている。この同期光反射ミラー３４で反射した光ビームＬは、同期光検出装置（図示省略）に導かれて検出されることにより、被走査体３２への画像書き込みタイミングがとられる。
【００６５】
上記した光学走査装置１０は、電子写真装置（図示省略）に組み込まれる。そして、帯電手段（図示省略）で被走査体３２を均一に帯電した後、光学走査装置１０で光ビームＬを主走査させることにより被走査体３２が露光され、被走査体３２に情報の静電潜像が形成される。
【００６６】
被走査体３２に静電潜像が形成された後、現像手段（図示省略）により被走査体３２にトナー像が形成される。このトナー像と同期して紙送り手段（図示省略）により記録紙（図示省略）が搬送され、記録紙にトナー像が転写された後、定着装置（図示省略）により定着され、電子写真プロセスが完了する。
【００６７】
ここで、同期光反射ミラー３４の取付構造について詳細に説明する。
【００６８】
図２及び図３に示すように、同期光反射ミラー３４は、スクリューを用いないスナップフィット形式の光学部品取付具３６（以下、「取付具３６」という。）により光学箱１６に取り付けられている。
【００６９】
すなわち、光学箱１６には、断面Ｌ字状の支持部材３８が形成されている。同期光反射ミラー３４は、その両側面が支持部材３８により挟み込まれて支持される。
【００７０】
光ビームＬが照射する同期光反射ミラー３４の照射する照射面３４Ａと反対側である裏面３４Ｂ近傍には、後述する取付具３６のフック部４０が係合する位置決め部４２が形成されている。この位置決め部４２は、円柱状の大径部４２Ａと、傾斜部４２Ｂと、円柱状の小径部４２Ｃと、で構成されている。
【００７１】
また、位置決め部４２の近傍には、取付具３６の丸孔４４及び長孔４６と勘合する位置決めボス４８がそれぞれ形成されている。
【００７２】
上記取付具３６は弾性体で構成されており、取付具本体５０と押圧片５２とで構成されている。取付具本体５０は、略中央に開口部５４が形成されており、この開口縁には互いに向い合うように１対のフック部４０が形成されている。
【００７３】
また、取付具本体５０には、開口部５４の近傍に丸孔４４及び長孔４６がそれぞれ形成されている。
【００７４】
一方、取付具本体５０の外周には、押圧片５２が形成されている。この押圧片５２の先端部は、同期光反射ミラー３４の裏面３４Ｂを効率よく押圧できるように折り曲げられている。
【００７５】
ここで、同期光反射ミラー３４が光学箱１６に対して相対移動し、上記フック部４０が位置決め部４２の傾斜部４２Ｂに押し広げられると、塑性変形するように設定されている。
【００７６】
すなわち、取付具３６の取付前におけるフック部４０間の最短距離をＡ１、取付時のフック部４０間の最短距離をＡ２、取外後のフック部４０間の最短距離をＡ３、小径部４２Ｃの直径をＢとした場合、取付具３６のフック部４０と位置決め部４２との関係は以下のようになる。
【００７７】
先ず、フック部４０が小径部４２Ｃと係合しているときには、
Ａ１≦Ｂ、かつ、Ａ２＝Ｂ………（１）
を満足するように各寸法を設定する。
【００７８】
次に、フック部４０が傾斜部４２Ｂにより押し広げられ、取付具３６が取り外された後は、
Ａ２＞Ｂ、かつ、Ａ２＝Ａ３………（２）
を満足するように設定することにより、取付具３６の取外後においてフック部４０が塑性変形する。
【００７９】
一方、Ａ２＝Ｂ、かつ、Ａ３≦Ｂ………（３）を満足するように各寸法を設定すれば、フック部４０が弾性変形する。
【００８０】
次に、同期光反射ミラー３４の取付方法について説明する。
【００８１】
先ず、支持部材３８に上方から同期光反射ミラー３４の両側面を挟み込む。
【００８２】
次に、図４及び図５に示すように、冶具５６により取付具３６を上方から光学箱１６に取り付ける。この冶具５６の先端略中央には凹部５６Ａが形成されており、その両端部の凸部５６Ｂで取付具本体５０を押し込んでいく。
【００８３】
図５に示すように、この凹部５６Ａの深さに取付具３６の板厚を加算した値（Ｒ１）は、取付具３６を取り付けたときに、取付具３６と光学箱１６の床面との間に所定のクリアランスＱ１（空間）が介在するように設定されている。
【００８４】
取付具３６の丸孔４４及び長孔４６に位置決めボス４８を挿入させるとともに、開口部５４に位置決め部４２を挿入させる。そのまま冶具５６により取付具３６を押し続け、冶具５６の凹部５６Ａが位置決め部４２の先端部と接触したときに、取付完了となる。
【００８５】
図６及び図７に示すように、この状態では、取付具３６のフック部４０が位置決め部４２の小径部４２Ｃと係合している。このため、小径部４２Ｃはフック部４０により両側から付勢される。一方、押圧片５２が同期光反射ミラー３４の裏面３４Ｂを押圧する。これにより、同期光反射ミラー３４が押圧片５２と支持部材３８とで挟まれ、確実に固定される。
【００８６】
図５に示すように、上記した冶具５６により取付具３６が取り付けられると、取付具３６の取付具本体５０と光学箱１６の床面との間にはクリアランスＱ１が介在するとともに、位置決め部４２の先端部から取付具３６の取付具本体５０の底面までの寸法がＲ１となる。すなわち、Ｑ１とＲ１の和が位置決め部４２の高さである。
【００８７】
次に、同期光反射ミラー３４の取外方法について説明する。
【００８８】
図８及び図９に示すように、光学箱１６の蓋（図示省略）を開け、光学箱１６内部に工具５８を挿入する。この工具５８は、ペンチ状のものが最適である。
【００８９】
工具５８の先端で取付具３６の取付具本体５０を下方へ押す。工具５８により押されると、取付具本体５０は、クリアランスＱ１だけ光学箱１６の床面に向かって下方に移動する。すなわち、取付具３６は光学箱１６に対して相対移動する。
【００９０】
このとき、図１０及び図１１に示すように、小径部４２Ｃと係合していたフック部４０が傾斜部４２Ｂを通って大径部４２Ａに移動する。
【００９１】
ここで、フック部４０は、下り傾斜した傾斜部４２Ｂに当接しながら外側（図１１中矢印Ａ方向側）に押し広げられ、塑性変形する。
【００９２】
フック部４０が塑性変形することにより、フック部４０と位置決め部４２との係合が解除される。
【００９３】
図１２及び図１３に示すように、フック部４０と位置決め部４２との係合が解除すると、取付具３６を取り外すことができる。これにより、取付具３６の押圧片５２の同期光反射ミラー３４への押圧が解除され、同期光反射ミラー３４も取り外すことができる。このように、取付具３６と同期光反射ミラー３４とを同じ方向（光学箱１６上側）から取り外すことができる。
【００９４】
この取外方法では、従来のように光学箱１６を逆さまにする必要がなくなるため、同期光反射ミラー３４に落下による傷がつくことがなく、同期光反射ミラー３４を再利用できる。
【００９５】
特に、工具５８により取付具３６を押すだけで良く、従来のようにドライバーをこじったりする必要がないので、同期光反射ミラー３４自体を傷つけることはなく、また、光学箱１６内部の他の光学部品を傷つけてしまうこともない。
【００９６】
なお、上記フック部４０を塑性変形させたが、弾性変形させてもよい。フック部４０を弾性変形させることにより、フック部４０が破損することがないので、取付具３６を再利用することができる。
【００９７】
さらに、取外し時において、光学箱１６の位置決めボス４８及び位置決め部４２を破損することがないので、光学箱１６を再利用することもできる。
【００９８】
一方、図１４に示すように、取付具３６のフック部４０の先端にはＵ字状の切欠き６０を形成してもよい。これにより、位置決め部４２との係合時において、この切欠き６０が位置決め部４２の小径部４２Ｃの外周と嵌合するため、取付具３６が横方向にずれるのを防止できる。
【００９９】
このように、フック部４０の先端に上記切欠き６０を形成すると、光学箱１６に位置決めボス４８を形成する必要がなくなり、また取付具本体５０にも丸孔４４及び長孔４６を形成する必要もない。
【０１００】
なお、図１５に示すように、例えばＶ字状の切欠き６２を形成してもよい。
【０１０１】
また、本実施形態では、取付具３６と光学箱１６の床面との間に所定のクリアランスＱ１を設けるために、特殊構造の冶具５６を使用したが、図１６乃至図１８に示すように、予め光学箱１６の床面に、Ｌ字状のスペーサ６４を配置しておき、このスペーサ６４の上に取付具本体５０が載置するようにすれば、上記特殊構造の冶具５６は不要となる。例えば、図８に示す工具５８のような汎用工具で取り付けできる。
【０１０２】
すなわち、取付具本体５０の下に位置するスペーサ６４の肉厚を上記クリアランスＱ１に設定すれば、図１８に示すように、取付具３６取付後にこのスペーサ６４を図１８中矢印Ｂ側に引き抜けば、取付具本体５０と光学箱１６の床面との間にきクリアランスＱ１が介在することになる。これにより、分解時に取付具３６の光学箱１６に対する相対移動が可能となる。
【０１０３】
また、本実施形態の位置決め部４２は、小径部４２Ｃと、傾斜部４２Ｂと、大径部４２Ａとが一体形成されているが、これに限られるものではない。
【０１０４】
例えば、図１９に示すように、位置決め部４２を、中央に位置する円柱部６６Ａと、その近傍に位置する２つの突起部６６Ｂとで構成してもよい。
【０１０５】
この位置決め部４２では、取付具３６が取り付けられた状態では、フック部４０が円柱部６６Ａと係合しているが、取外時に、工具５８により取付具本体５０が押されると、突起部６６Ｂによりフック部４０が押し広げられる。これにより、フック部４０を塑性変形させてもよい。
【０１０６】
また、図２０に示すように、位置決め部４２の小径部４２Ｃの先端には、取付具３６の取付時にフック部４０を押し広げる下り傾斜した段差６８を設けてもよい。
【０１０７】
段差６８が設けられる位置として、フック部４０が段差６８の真下に位置したときに、取付具本体５０と光学箱１６の床面との間にクリアランスＱ１が介在するような位置（設計値）とすることが必要である。
【０１０８】
この位置決め部４２では、取付具３６の取付時にフック部４０が段差６８により押し広げられていく。すなわち、フック部４０間の間隔が広くなる。その後、フック部４０が段差６８を通過すると段差６８からの押圧が解除され、フック部４０が元の状態に戻り小径部４２Ｃと係合する。すなわち、フック部４０間の間隔が狭くなる。
【０１０９】
このとき、作業者はフック部４０が元に戻ったことを感触により知ることができ、取付具３６が適正な位置にあることを認識できる。このように、上記構成の位置決め部４２を用いれば、確実に取付具３６を所定位置に取り付けることができ、特殊な冶具５６又はスペーサ６４が不要となる。
【０１１０】
さらに、図２１に示すように、同様にして、段差６８は、位置決め部４２を構成する構成する円柱部６６Ａの先端に設けてもよい。
【０１１１】
次に、反射ミラー３０の取付構造について詳細に説明する。
【０１１２】
図２２に示すように、反射ミラー３０は、光学箱１６に形成された支持部材７０に当接して、取付具７２により取り付けられる。
【０１１３】
支持部材７０の先端部には、上記した位置決め部４２と同様の構成の位置決め部７４が形成されている。この位置決め部７４は、小径部７４Ｃと、傾斜部７４Ｂと、大径部７４Ａと、で構成されている。また、位置決め部７４近傍には、２本の位置決めボス７６が形成されている。
【０１１４】
一方、取付具７２は、全体としてＬ字状に形成されており、弾性体で構成されている。また、取付具７２は、取付具本体７８と押圧片８０と有している。
【０１１５】
取付具本体７８の略中央には、開口部８１が形成されており、この開口部８１には１対のフック部８２が互いに向い合うように形成されている。また、取付具本体７８には、丸孔８４及び長孔８６がそれぞれ形成されている。
【０１１６】
一方、押圧片８０は、取付時に反射ミラー３０の裏面を押圧する。これにより反射ミラー３０は押圧片８０と支持部材７０とで挟み込まれ固定される。
【０１１７】
なお、図１及び図２２に示すように、上記支持部材７０は、反射ミラー３０の長手方向両端部に対応する位置にそれぞれ形成され、反射ミラー３０の両端部が取付具７２により取り付けられる。
【０１１８】
ここで、反射ミラー３０の取付方法について説明する。
【０１１９】
反射ミラー３０の長手方向両端部を支持部材７０に当接させる。その後、上記冶具５６（図４参照）により取付具本体７８を押し込み、開口部８１には位置決め部７４を挿通させ、丸孔８４及び長孔８６にはそれぞれ位置決めボス７６を挿通させる。そして、フック部８２が小径部７４Ｃと係合するとともに、押圧片８０により反射ミラー３０の裏面が押圧される。これにより、反射ミラー３０が確実に取り付けられる。
【０１２０】
なお、図１４及び図１５に示すように、フック部８２の先端に所定の切り欠きを形成してもよい。
【０１２１】
取付具７２の取付けは、同期光反射ミラー３４を取り付ける取付具３６と同様にして、上記した特殊構造の冶具５６を用いて取り付ける。取付具７２が取り付けられた状態では、フック部８２と小径部７４Ｃとが係合し、取付具本体７８と支持部材７０の上面との間にはクリアランスＱ２が介在している。
【０１２２】
ここで、反射ミラー３０の取外方法について説明する。
【０１２３】
図２３に示すように、分解時には、工具５８（図８参照）により取付具本体７８がクリアランスＱ２だけ押し込まれる。このとき、フック部８２が傾斜部７４Ｂにより外側に押し広げられる。このため、フック部８２は塑性変形し、取付具７２を光学箱１６の上部から取り外すことができる。その後、反射ミラー３０も光学箱１６の上部から取り外すことができる。
【０１２４】
この場合も、光学箱１６及び反射ミラー３０を再利用することができる。また、フック部８２を弾性変形させた場合には、取付具７２も再利用することができる。
【０１２５】
なお、上記位置決め部７４の構成は、図１９乃至図２１に示すように、円柱部と突起部で構成してもよく、また、段差を設けてもよい。
【０１２６】
次に、ｆθレンズ２８の取付構造について説明する。
【０１２７】
図１及び図２４に示すように、ｆθレンズ２８は、ｆθレンズ２８の長手方向両端部に対応する位置に形成された支持部材９０に当接して、その両端部が取付具９２により取り付けられる。
【０１２８】
各支持部材９０の近傍部には、上記した位置決め部と同様の構成の位置決め部９４がそれぞれ形成されている。この位置決め部９４は、小径部９４Ｃと、傾斜部９４Ｂと、大径部９４Ａと、で構成されている。
【０１２９】
ここで、取付具９２は、ｆθレンズ２８の長手方向両端部を固定するが、そのうちの一方の端部に取り付けられる取付具９２の構成を以下に詳細に説明する。
【０１３０】
図２４に示すように、取付具９２は、取付具本体９６を備えている。この取付具本体９６の略中央には開口部９８が形成されており、開口部９８には互いに向い合うように２対のフック部１００がそれぞれ一体形成されている。
【０１３１】
取付具本体９６には、取付時に支持部材９０と接触する接触部１０２が一体形成されている。
【０１３２】
接触部１０２には、ｆθレンズ２８の上部を覆う覆部１０４が一体形成されている。
【０１３３】
また、この覆部１０４には、ｆθレンズ２８を支持部材９０に押し付ける前後方向レバー１０６が一体形成されている。なお、前後方向レバー１０６は、ｆθレンズ２８の走査領域外を押圧している。
【０１３４】
また、覆部１０４には、上下方向レバー１０８が一体形成されている。この上下方向レバー１０８によりｆθレンズ２８の上面が押えられ、ｆθレンズ２８が上下方向に固定されている。
【０１３５】
また、覆部１０４には、左右方向レバー１１０が一体形成されている。この左右方向レバー１１０によりｆθレンズ２８の側面が押えられ、ｆθレンズ２８が左右方向に固定されている。
【０１３６】
以上のように、ｆθレンズ２８は、支持部材９０、前後方向レバー１０６、上下方向レバー１０８及び左右方向レバー１１０により、光学箱１６内部に位置決めされている。
【０１３７】
ここで、上下方向レバー１０８の長さは、フック部１００の長さよりも長くなるように設定されている。具体的には、取付具９２が取り付けられた状態では、取付具本体９６と光学箱１６の床面との間にはクリアランスＱ４が介在しているが、取付具本体９６がクリアランスＱ４をストロークさせたときに、フック部１００は傾斜部９４Ｂにより外側に押し広げられて塑性変形するが、上下方向レバー１０８は弾性変形する長さを実験により求め、上下方向レバー１０８はその長さに設定されている。
【０１３８】
なお、図１に示すように、ｆθレンズ２８の他方の端部に取り付けられる取付具９２Ｅは、上記取付具９２と対比して、左右方向レバー１１０が形成されていない点でその構成が異なるだけである。
【０１３９】
ここで、ｆθレンズ２８の取付方法について説明する。
【０１４０】
図２４に示すように、ｆθレンズ２８の長手方向両端部が支持部材９０に接するように配置させる。
【０１４１】
次に、冶具５６（図４参照）を用いて取付具本体９６を押し込み、取付具本体９６の開口部９８に位置決め部９４を挿通させる。このとき、覆部１０４でｆθレンズ２８の上面に位置するとともに、前後方向レバー１０６がｆθレンズ２８の端面を支持部９０側に押圧するように取り付ける。さらに、このとき左右方向レバー１１０がｆθレンズ２８の側面を押圧するように取り付ける。
【０１４２】
この状態で、冶具５６により取付具９２をさらに押し込み、合計４本のフック部１００と小径部９４Ｃを係合させる。これにより、ｆθレンズ２８は、確実に固定される。
【０１４３】
図２４に示すように、取付具９２が取り付られた状態では、取付具本体９６と光学箱１６の床面との間には、クリアランスＱ４（空間）が介在している。また、取付具９２の覆部１０４とｆθレンズ２８の上面にも、クリアランスＱ４（空間）が介在している。
【０１４４】
ここで、ｆθレンズ２８の取外方法について説明する。
【０１４５】
分解時には、工具５８（図１０参照）により取付具本体９６を押し込む。取付具本体９６はクリアランスＱ４だけ移動する。このとき、４本のフック部１００は傾斜部９４Ｂにより外側に押し広げられ、塑性変形する。これにより、フック部１００と位置決め部９４との係合が解除され、取付具９２を取り外すことができる。
【０１４６】
また、このとき、上下方向レバー１０８は弾性変形するので、取付具本体９６を押し込んでいる工具５８を除去すると、取付具９２は、上下方向レバー１０８の弾性力により上方へ飛び跳ねる。このため、作業者は、取付具９２を回収しやすくなり、分解作業時間を短縮できる。
【０１４７】
上記取付具９２でｆθレンズ２８を取り付けることにより、光学箱１６、ｆθレンズ２８をそれぞれ再利用できる。また、フック部１００を弾性変形させるように設定すれば、取付具９２自体も再利用できる。
【０１４８】
なお、上記位置決め部９４の構成は、図１９乃至図２１に示すように、円柱部と突起部で構成してもよく、また、段差を設けてもよい。
【０１４９】
さらに、図１４及び図１５に示すように、各フック部１００の先端に所定の切欠きを設けてもよい。
【０１５０】
次に、本発明の第２実施形態に係る光学走査装置について説明する。
【０１５１】
なお、第１実施形態と同様の構成には同符号を付し、説明を適宜省略する。
【０１５２】
先ず、同期光反射ミラー３４の取付構造について説明する。
【０１５３】
図２６に示すように、同期光反射ミラー３４の裏面側に位置する光学箱１６の床面には、凹部１１２が形成されている。凹部１１２の深さは、Ｑ３に設定されている。
【０１５４】
凹部１１２の略中央には、位置決め部１１４が形成されている。この位置決め部１１２は、小径部１１２Ｃと、傾斜部１１２Ｂと、大径部１１２Ａと、で構成されている。また、凹部１１２の内部であって位置決め部１１４の近傍には、位置決めボス１１６がそれぞれ形成されている。
【０１５５】
一方、取付具１１８は、弾性体で構成されており、取付具本体１２０と、取付具本体１２０と一体形成された押圧片１２２と、取付具本１２０と一体形成された支持片１２４と、を有している。
【０１５６】
なお、第１実施形態と同様にして、取付具本体１２０には、開口部１２６が形成されており、この開口部１２６の開口縁には１対のフック部１２８が形成されている。
【０１５７】
また、支持片１２４は、取付具本体１２０の各辺の略中央にそれぞれ１つずつ形成されており、支持片１２４の長さはフック部１２８の長さよりも長く設定されている。すなわち、取付具本体１２０をクリアランスＱ３移動させたときに、フック部１２８が塑性変形し、支持片１２４は弾性変形する長さを実験で求め、支持片１２４の長さが設定されている。
【０１５８】
この取付具１１８の取付けは、同期光反射ミラー３４を支持部材３８で支持させた後、光学箱１６の上方から取付具１１８を侵入させる。取付具本体１２０に形成された開口部１２６に位置決め部１１４を挿通させ、丸孔１３０及び長孔１３２に位置決めボス１１６をそれぞれ挿通させる。
【０１５９】
支持片１２４が光学箱１６の凹部１１２ではない床面（基準面Ｈ）に位置とたときに、フック部１２８が小径部１１４Ｃと係合し、押圧片１２２が同期光反射ミラー３４の裏面３４Ｂを押圧する。これにより、同期光反射ミラー３４は取付具１１８により完全に取り付けられる。
【０１６０】
この場合には、取付具１１８の取付時において、特殊な冶具５６（図４参照）が不要となる。
【０１６１】
一方、分解時には、図２７及び図２８に示すように、工具５８により取付具本体１２０を押し込む。工具５８により押し込まれると、取付具本体１２０は凹部１１２側にクリアランスＱ３だけ撓んで弾性変形する。取付具本体１２０が凹部１１２側に弾性変形すると、フック部１２８が傾斜部１１４Ｃにより外側に押し広げられ、フック部１２８が塑性変形する。
【０１６２】
これにより、取付具１１８を取り外すことができ、同期光反射ミラー３４への押圧片１２２の押圧が解除することができるため、同期光反射ミラー３４を取り外すことができる。
【０１６３】
ここで、上記フック部１２８は塑性変形するが、支持片１２４は弾性変形する。すなわち、支持片１２４は弾性を維持しているため、取付具本体１２０から工具５８を除去させると、取付具１１８は上方へ跳ね上がる。このため、作業者が取付具１１８を回収し易くなり、分解作業時間を短縮できる。
【０１６４】
本実施形態でも、光学箱１６及び同期光反射ミラー３４を再利用できる。また、取付具１１８のフック部１２８を弾性変形させることにより、取付具１１８も再利用できる。
【０１６５】
また、上記位置決め部１１４の構成は、図１９乃至図２１に示すように、円柱部と突起部で構成してもよい。
【０１６６】
次に、本発明の第３実施形態に係る光学走査装置について説明する。
【０１６７】
なお、第１実施形態と同様の構成には同符号を付し、説明を適宜省略する。
【０１６８】
図２９に示すように、同期光反射ミラー３４の裏面側に位置する光学箱１６の床面には、凹部１３４が形成されている。凹部１３４の深さは、Ｑ５に設定されている。
【０１６９】
図２９に示すように、凹部１３４の同期光反射ミラー３４の長手方向に沿って延びる縁部であって同期光反射ミラー３４側の縁部１３６の略中央には、位置決め部１３８が形成されている。この位置決め部１３８は、全体として円柱状に形成されている。
【０１７０】
なお、凹部１３４には、第１実施形態における位置決めボス４８は形成されていない。
【０１７１】
一方、取付具１４０は、第１実施形態の取付具３６（図２参照）と基本的に同様の構成であり、弾性体で構成され、取付具本体１４２と取付具本体１４２と一体形成された押圧片１４４を有している。
【０１７２】
なお、第１実施形態の取付具本体５０に形成されている丸孔４４及び長孔４６は形成されていない。
【０１７３】
図２９及び図３０に示すように、同期光反射ミラー３４が支持部材３８に支持された後、取付具本体に形成された開口部１４６に位置決め部１３８を挿通させ、フック部１４８と位置決め部１３８とを係合させる。
【０１７４】
ここで、図２９及び図３０に示すように、取付具１４０は、取付具本体１４２の一部が光学箱１６の床面（凹部１３４以外の基準面Ｈ）に載置され、他の一部（同期光反射ミラー３４側と反対側の端部）が凹部１３４上に位置するように取り付けられる。
【０１７５】
したがって、取付具１４０の取付時において、特殊な冶具５６（図４参照）は不要となる。このとき、押圧片１４４が同期光反射ミラー３４の裏面３４Ｂを押圧し、同期光反射ミラー３４が確実に固定される。
【０１７６】
次に、同期光反射ミラー３４を取り外すときには、図３１及び図３２に示すように、工具（図示省略）により凹部１３４上に位置する取付具本体１４２の一部を凹部１３４側にクリアランスＱ５だけ押し込み、取付具本体１４２を塑性変形させる。
【０１７７】
このとき、図３３及び図３４に示すように、一方のフック部１４８と位置決め部１３８との係合が解除され、取付具１４０を取り外すことができる。これにより、押圧片１４４の同期光反射ミラー３４への押圧が解除されるため、同期光反射ミラー３４も取り外すことができる。
【０１７８】
本実施形態では、光学箱１６及び同期光反射ミラー３４を再利用できる。また、取付具１４０のフック部１４８を弾性変形させることにより、取付具１４０も再利用できる。
【０１７９】
なお、本実施形態では、光学箱１６に位置決めボス４８が形成されていないため、衝撃振動等により、フック部１４８と位置決め部１３８との係合が解除され取付具１４０がずれることが懸念される場合には、図１４及び図１５に示すように、フック部１４８の先端に位置決め部１３８の外周の一部と嵌合する切欠きを形成し、取付具１４０のズレを防止してもよい。
【０１８０】
次に、本発明の第４実施形態に係る光学走査装置について説明する。
【０１８１】
なお、第１実施形態と同様の構成には同符号を付し、説明を適宜省略する。
【０１８２】
図３５に示すように、同期光反射ミラー３４の裏面側に位置する光学箱１６の床面には、凹部１５０が形成されている。凹部１５０の深さは、Ｑ６に設定されている。
【０１８３】
図３５及び図３６に示すように、凹部１５０の同期光反射ミラー３４の長手方向に対して垂直に延びる縁部であって同期光反射ミラー３４の中央側の縁部１５２の略中央には、位置決め部１５４が形成されている。この位置決め部１５４は、全体として円柱状に形成されている。
【０１８４】
なお、凹部１５０には、第１実施形態における位置決めボス４８は形成されていない。
【０１８５】
一方、取付具１５６は、第３実施形態の取付具１４０と同様の構成のものである。
【０１８６】
図３５及び図３６に示すように、フック部１５８が位置決め部１５４と係合して取付具１５６が取り付けられる。
【０１８７】
本実施形態でも、取付具１５６を取り付けるための特殊な冶具は不要である。取付具１５６が取り付けられた状態では、取付具本体１６０の一部が基準面上に位置し、他の一部（１対のフック部１５８を基準として片側の端部）が凹部１５０上に位置するように取り付けられる。
【０１８８】
ここで、同期光反射ミラー３４を取り外すときには、図３７及び図３８に示すように、工具（図示省略）により凹部１５０上に位置する取付具本体１６０の一部を凹部１５０側にクリアランスＱ６だけ押し込み、取付具１５６全体を傾斜させる。
【０１８９】
このとき、図３９及び図４０に示すように、各フック部１５８と位置決め部１５４との係合が解除され、取付具１５６を取り外すことができる。これにより、押圧片１６２の同期光反射ミラー３４の裏面３４Ｂへの押圧が解除されるため、同期光反射ミラー３４を取り外すことができる。
【０１９０】
本実施形態では、光学箱１６、同期光反射ミラー３４及び取付具１５６を再利用できる。
【０１９１】
なお、本実施形態では、光学箱１６に位置決めボス４２が形成されていないため、衝撃振動等により、フック部１５８と位置決め部１５４との係合が解除され取付具１５６がずれることが懸念される場合には、図１４及び図１５に示すように、フック部１５８の先端に位置決め部１５４の外周の一部と嵌合する切欠きを形成し、取付具１５６のズレを防止してもよい。
【０１９２】
次に、本発明の第５実施形態に係る光学走査装置について説明する。
【０１９３】
なお、第１実施形態と同様の構成には同符号を付し、説明を適宜省略する。
【０１９４】
図１及び図４１に示すように、光学箱１６には同期光反射ミラー３４を支持する支持部材３８が形成されている。同期光反射ミラー３４は、この支持部材３８により支持される。
【０１９５】
同期光反射ミラー３４の裏面側近傍には、位置決め部１６４が形成されている。この位置決め部１６４は、全体として円柱状に形成されている。
【０１９６】
一方、図４１に示すように、取付具１６６は、取付具本体１６８と同期光反射ミラー３４の裏面３４Ｂを押圧する押圧片１７０とで構成されている。また、取付具１６６は弾性体で構成されている。
【０１９７】
ここで、取付具本体１６８の略中央には開口部１７２が形成されている。この開口部１７２の開口縁からは互いに向い合うように１対のフック部１７４が形成されている。開口部１７２は、１対のフック部１７４により左右２つの領域（第１開口部１７２Ａ、第２開口部１７２Ｂ）に区分けされるが、一方の領域（例えば、第１開口部１７２Ａ）の開口面積が他方の領域（例えば、第２開口部１７２Ｂ）の開口面積よりも大きくなるように形成されている。
【０１９８】
図４１及び４２に示すように、取付具１６６の取付時には、この取付具本体１６８の開口部１７２に位置決め部１６４が挿通するように取付具１６６が取り付けられる。本実施形態でも、取付時において特殊な冶具が不要である。
【０１９９】
このとき、取付具本体１６８が光学箱１６の床面と面接し、フック部１７４が位置決め部１６４と係合するとともに、押圧片１７０が同期光反射ミラー３４の裏面３４Ｂを押圧する。これにより、同期光反射ミラー３４は確実に固定される。
【０２００】
一方、同期光反射ミラー３４を取り外すときには、図４３及び図４４に示すように、工具（図示省略）により位置決め部１６４を開口面積の大きい第１開口部１７２Ａに位置させるように、取付具本体１６８を同期光反射ミラー３４の長手方向（図４３中矢印Ｃ方向）に沿って押し込む。
【０２０１】
これにより、取付具１６６は光学箱１６の床面上を移動し、フック部１７４と位置決め部１６４との係合が解除される。取付具１６６の相対移動により、位置決め部１６４が第１開口部１７２Ａに位置すれば、図４５及び図４６に示すように、押圧片１７０の同期光反射ミラー３４の裏面３４Ｂへの押圧を解除でき、同期光反射ミラー３４を取り外すことができる。
【０２０２】
本実施形態では、光学箱１６、同期光反射ミラー３４及び取付具１６６を再利用することができる。
【０２０３】
なお、本実施形態では、光学箱１６に位置決めボス４２が形成されていないため、衝撃振動等により、フック部１７４と位置決め部１６４との係合が解除され取付具１６６がずれることが懸念される場合には、図１４及び図１５に示すように、フック部１７４の先端に位置決め部１６４の外周の一部と嵌合する切欠きを形成し、取付具１６６のズレを防止してもよい。
【０２０４】
次に、本発明の第６実施形態に係る光学走査装置について説明する。
【０２０５】
なお、第１実施形態と同様の構成には同符号を付し、説明を適宜省略する。
【０２０６】
図４７に示すように、光学箱１６には同期光反射ミラー３４を支持する支持部材３８が形成されている。同期光反射ミラー３４は、この支持部材３８により支持される。
【０２０７】
一方の支持部材３８Ａは、直方体状に形成されており、同期光反射ミラー３４と面接する側面と反対側の側面３８Ｂには、位置決め部１７６が形成されている。この位置決め部１７６は、前記各実施形態で示した位置決め部の形状と異なり、くさび状に形成されている。この位置決め部１７６は、光学箱１６の床面に向かって下り傾斜した傾斜面１７６Ａを有している。
【０２０８】
また、位置決め部１７６の近傍には、円柱状の突起部１７８が形成されている。
【０２０９】
一方、図４７に示すように、取付具１８０は、全体としてコ字状に形成されており、上部から同期光反射ミラー３４を挟み込んで取り付けるものである。また、この取付具１８０は、弾性体で構成されている。
【０２１０】
ここで、取付具１８０の構成を詳細に説明する。
【０２１１】
取付具１８０は、取付時に同期光反射ミラー３４の照射３４Ａの端部を押圧する第１の押圧片１８２と、第１の押圧片１８２と一体形成され取付時に同期光反射ミラー３４の上方に位置する上片１８４と、上片１８４と一体形成され取付時に支持部材３８の側面Ｂを押圧する第２の押圧片１８６とで構成されている。
【０２１２】
第２の押圧片１８６には、開口部１８８が形成されている。取付具１８０の取付時には、上記開口部１８８の下側縁部１８８Ａが位置決め部１７６の下側端部と係合する。また、第２の押圧片１８６の先端部は、突起部１７８側に傾斜している。
【０２１３】
取付具１８０の取付時において、同期光反射ミラー３４の上方から取付具１８０が被せられる。取付具１８０の第２の押圧片１８６が位置決め部１７６の傾斜面１７６Ａにより外側に押し広げられて弾性変形し、傾斜面１７６Ａを通過した後、第２の押圧片１８６の弾性変形が解除される。第２の押圧片１８６の弾性変形が解除されたときに、取付具１８０の開口部１８８の下側縁部１８８Ａと位置決め部１７６とが係合し、取付具１８０の取付けが終了する。
【０２１４】
これにより、同期光反射ミラー３４は、第１の押圧片１８２と支持部材３８Ａとで挟まれて確実に固定される。
【０２１５】
取付具１８０が取り付けられた状態では、同期光反射ミラー３４の上面と取付具１８０の上片１８４の下面との間にはクリアランスＱ７が介在している。また、位置決め部１７６の上側端部と開口部１８８の上側縁部１８８Ｂとの間にも、クリアランスＱ７が介在している。
【０２１６】
次に、同期光反射ミラー３４の取外方法について説明する。
【０２１７】
図４７示すように、同期光反射ミラー３４の取外し時には、取付具１８０の上片１８４を押し込む。これにより、取付具１８０はクリアランスＱ７だけ下側に移動し、上片１８４が同期光反射ミラー３４の上面と接触する。このとき、位置決め部１７６の上側端部は開口部１８８の上側縁部１８８Ｂと接触する。
【０２１８】
取付具１８０が下側（図４７中矢印Ｄ方向）に移動すると、第２の押圧片１８６の先端部の下面が突起部１７８に当接する。
【０２１９】
第２の押圧片１８６の先端部の下面が突起部１７８に当接し第２の押圧片１８６が図４７中矢印Ｅ方向に押し広げられて、開口部１８８の下側縁部１８８Ａと位置決め部１７６との係合が解除される。係合が解除されれば、取付具１８０を上方（図４７中矢印Ｄ方向と反対方向）又は横側（図４７中矢印Ｆ方向）へ引き抜き、取付具１８０を取り外す。これにより、同期光反射ミラー３４を取り外すことができる。
【０２２０】
本実施形態では、光学箱１６、同期光反射ミラー３４及び取付具１８０を再利用することができる。
【０２２１】
次に、本発明の第７実施形態に係る光学走査装置について説明する。
【０２２２】
なお、第１実施形態と同様の構成には同符号を付し、説明を適宜省略する。
【０２２３】
図４８に示すように、光学箱１６には同期光反射ミラー３４を支持する支持部材３８が形成されている。同期光反射ミラー３４は、この支持部材３８により支持される。
【０２２４】
また、光ビームＬが照射する同期光反射ミラー３４の照射面３４Ａの反対側の裏面３４Ｂ近傍には、円柱状の位置決め部１９０が形成されている。
【０２２５】
また、図４９に示すように、位置決め部１９０の外周囲には、１対のガイド部材１９２が位置決め部１９０と同心円状に形成されている。各ガイド部材１９２の上面は傾斜している。
【０２２６】
一方、取付具１９４は、取付具本体１９６と押圧片１９８とで構成されている。また、取付具１９４は弾性体で構成されている。取付具本体１９６には、円形の開口部２００が形成されている。この開口部２００の直径は、１対のガイド部材１９２の外周φよりも大きくなるように設定されている。また、開口部２００の開口縁には、相互に向い合うように１対のフック部２０２が形成されている。
【０２２７】
取付具１９４の取付け時には、位置決め部１９０及び１対のガイド部材１９２が開口部２００を挿通するように、取付具１９４を取り付ける。このとき、フック部２０２は位置決め部１９０と係合し、押圧片１９８は同期光反射ミラー３４の裏面３４Ｂを押圧する。これにより、同期光反射ミラー３４は確実に固定される。
【０２２８】
なお、取付具１９４が取り付けられた状態では、各フック部２０２は各ガイド部材１９２の最も低い上面上に位置している。
【０２２９】
また、本実施形態の取付具１９４では、取付け時に特殊な冶具は不要である。
【０２３０】
一方、同期光反射ミラー３４の取外し時には、取付具１９４を光学箱１６の床面に対して位置決め部１９０を中心に図４８中矢印Ｇ側に回転させる。
【０２３１】
取付具１９４を回転させることにより、各フック部２０２は、各ガイド部１９２の上面上を登っていく。これにより、各フック部２０２は外側に押し広げられ、フック部２０２と位置決め部１９０との係合が解除される。これにより、取付具１９４及び同期光反射ミラー３４を取り外すことができる。
【０２３２】
本実施形態では、光学箱１６、同期光反射ミラー３４及び取付具１９４を再利用することができる。
【０２３３】
また、本実施形態では、取付具１９４自体を回転させており、同期光反射ミラー３４自体は回転させていない。このため、同期光反射ミラー３４の下面や同期光反射ミラー３４を精度良く位置決めする支持部材３８は摩擦により摩り減ることがない。この結果、光学箱１６を再利用しても、同期光反射ミラー３４の位置精度が低下せず、光学走査装置１０の機能を維持することができる。
【０２３４】
次に、本発明の第８実施形態に係る光学走査装置について説明する。
【０２３５】
なお、第１実施形態と同様の構成には同符号を付し、説明を適宜省略する。
【０２３６】
図５０に示すように、光学箱１６には同期光反射ミラー３４を支持する支持部材３８が形成されている。同期光反射ミラー３４は、この支持部材３８により支持される。
【０２３７】
図５０に示すように、光ビームＬが照射する同期光反射ミラー３４の照射面３４の反対側の裏面３４Ｂの近傍には、位置決め部２０４が形成されている。
【０２３８】
この位置決め部２０４は、円柱状の大径部２０６と、大径部２０６上に一体形成された楕円部２０８と、で構成されている。
【０２３９】
ここで、大径部２０６の直径はＱ（φＱ）に設定されている。
【０２４０】
一方、楕円部２０８の長手方向（幅広部）の幅寸法はＤＱ（φＤＱ）に設定されている。また、楕円部２０８の長手方向に対して垂直方向（幅狭部）の幅寸法はｄＱ（φｄＱ＜φＤＱ）に設定されている。
【０２４１】
取付具２１０は、取付具本体２１２と押圧片２１４とで構成されている。また、取付具２１０は弾性体で構成されている。
【０２４２】
取付具本体２１２には、四角形状の開口部２１６が形成されている。この開口部２１６の各内縁部には、相互に向い合い、それぞれ長さの異なる２対のフック部２１８、２２０が形成されている。
【０２４３】
２対のフック部２１８、２２０のうち、一方のフック部（第１フック部２１８）の各先端部間の距離は、Ｑに設定されている。また、一方のフック部（第２フック部２２０）の各先端部間の距離は、取付前はＤＱより短く、取付後はＤＱになるように設定されている。
【０２４４】
取付具２１０の取付時には、位置決め部２０４が開口部２１６に挿通するように、取付具２１０を取り付ける。第１フック部２１８が位置決め部２０４の大径部２０６と係合し、第２フック部２２０が位置決め部２０４の楕円部２０８の幅広部と係合する。このとき、押圧片２１４は同期光反射ミラー３４の裏面３４Ｂを押圧している。これにより、同期光反射ミラー３４は確実に固定される。
【０２４５】
また、本実施形態の取付具２１０では、取付け時に特殊な冶具は不要である。
【０２４６】
一方、同期光反射ミラー３４の取外し時には、図５０及び図５１に示すように、取付具２１０を光学箱１６の床面に対して位置決め部２０４を中心に矢印Ｈ方向に回転させる。取付具２１０を略９０度回転させることにより、第２フック部２２０は楕円部２０８の幅狭部側に移動する。
【０２４７】
このとき、第２フック部２２０の先端部間の寸法はｄＱより長い。楕円部２０８の幅狭部の幅寸法はｄＱであるため、第２フック部２２０と楕円部２０８との係合が解除される。これにより、取付具２１０及び同期光反射ミラー３４を取り外すことができる。
【０２４８】
本実施形態では、光学箱１６、同期光反射ミラー３４及び取付具２１０を再利用することができる。
【０２４９】
また、本実施形態では、取外し時において、取付具２１０自体を回転させ、同期光反射ミラー３４自体は回転させていない。このため、同期光反射ミラー３４の下面や同期光反射ミラー３４を精度良く位置決めする支持部材３８は摩擦により摩り減ることがない。この結果、光学箱１６を再利用しても、同期光反射ミラー３４の位置精度が低下せず、光学走査装置１０の機能を維持することができる。
【０２５０】
次に、本発明の第９実施形態に係る光学走査装置について説明する。
【０２５１】
なお、第１実施形態と同様の構成には同符号を付し、説明を適宜省略する。
【０２５２】
図５２に示すように、光学箱１６には同期光反射ミラー３４を支持する支持部材３８が形成されている。同期光反射ミラー３４は、この支持部材３８により支持される。
【０２５３】
図５２及び図５３に示すように、光ビームＬが照射する同期光反射ミラー３４の裏面３４Ｂの近傍には、位置決め部２２２が形成されている。
【０２５４】
位置決め部２２２は、円柱状の大径部２２２Ａと、傾斜部２２２Ｂと、円柱状の小径部２２２Ｃと、で構成されている。
【０２５５】
また、位置決め部２２２の近傍には、取付具２２４の丸孔２２６及び長孔２２８と勘合する位置決めボス２３０がそれぞれ形成されている。
【０２５６】
また、位置決め部２２と同期光反射ミラー３４の裏面３４Ｂとの間には、押圧片２３２の同期光反射ミラー３４の裏面３４Ｂへの押圧を解除する突起状の解除部２３４が形成されている。
【０２５７】
一方、取付具２２４は、弾性体で構成されており、取付具本体２３６と押圧片２３２とで構成されている。
【０２５８】
取付具本体２３６には、端部側に開放した開口部２３８が形成されており、この開口縁には開放側に向かってフック部２４０が形成されている。
【０２５９】
また、取付具本体２３６には、開口部２３８の近傍に丸孔２２６及び長孔２２８がそれぞれ形成されている。
【０２６０】
一方、取付具本体２３６の外周には、前記フック部２４０と反対側に向かって延びる押圧片２３２が形成されている。
【０２６１】
ここで、同期光反射ミラー３４が光学箱１６に対して相対移動し、上記フック部２４０が傾斜部２２２Ｂにより押し広げられ、押圧片２３２が解除部２３４により押し広げられると、塑性変形するように設定されている。
【０２６２】
すなわち、取付具２２４の取付前におけるフック部２４０の先端部から押圧片２３２（同期光反射ミラー裏面３４Ｂに接触する部位）への最短水平距離をＤ１、取付状態におけるフック部２４０の先端部から押圧片２３２（同期光反射ミラー裏面３４Ｂに接触する部位）への最短水平距離をＤ２、取外後におけるフック部２４０の先端部から押圧片２３２（同期光反射ミラー裏面３４Ｂに接触する部位）への最短水平距離をＤ３、小径部２２２Ｃと同期光反射ミラー裏面３４Ｂとの最短水平距離をＥとした場合、フック部２４０及び押圧片２３２と位置決め部２２２及び同期光反射ミラー裏面３４Ｂとの関係は以下のようになる。
【０２６３】
先ず、フック部２４０が位置決め部２２２の小径部２２２Ｃと係合しているときには、
Ｄ１≧Ｅ、かつ、Ｄ２＝Ｅ………（４）
を満足するように設定されている。
【０２６４】
次に、フック部２４０が傾斜部２２２Ｂにより、かつ押圧片２３２が解除部２３４により押し広げられ、取付具２２４が取り外された後は、
Ｄ２＜Ｅ、かつ、Ｄ３＝Ｄ２………（５）
を満足するように設定することにより、取付具２２４のフック部２４０及び押圧片２３２が塑性変形する。
【０２６５】
一方、フック部２４０及び押圧片２３２と位置決め部２２２及び同期光反射ミラー裏面３４Ｂとの関係が
Ｄ２＝Ｅ、かつ、Ｄ３≧Ｅ………（６）
を満足すれば、フック部２４０及び押圧片２３２が弾性変形する。
【０２６６】
次に、同期光反射ミラー３４の取付方法について説明する。
【０２６７】
図５２に示すように、支持部材３８に上方から同期光反射ミラー３４の両側面を挟み込む。
【０２６８】
次に、冶具（図示省略）により取付具２２４を上方から光学箱１６に取り付ける。第１実施形態と同様に、この冶具５６（図４参照）の先端略中央には凹部５６Ａが形成されており、その両端部の凸部５６Ｂで取付具本体２３６を押し込んでいく。この凹部５６Ａの深さは、取付具２２４を取り付けたときに、取付具本体２３６と光学箱１６の床面との間に所定のクリアランスＱ８（空間）が介在するように設定されている。
【０２６９】
そして、取付具２２４の丸孔２２６及び長孔２２８に位置決めボス２３０を挿入させるとともに、開口部２３８に位置決め部２２２を挿入させる。そのまま冶具５６により取付具２２４を押し続け、冶具５６の凹部５６Ａが位置決め部２２２の先端部と接触したときに、取付完了となる。
【０２７０】
この状態では、取付具２２４のフック部２４０が位置決め部２２２の小径部２２２Ｃと係合する。
【０２７１】
一方、図５３に示すように、押圧片２３２は解除部２３４と接触せずに、同期光反射ミラー３４の裏面３４Ｂを押圧する。これにより、同期光反射ミラー３４が押圧片２３２と支持部材３８とで挟まれ、確実に固定される。
【０２７２】
なお、本実施形態の取付具２２４では、押圧片２３２が同期光反射ミラー３４を押圧する押圧方向とフック部２４０が小径部２２２Ｃを押圧する押圧方向とは、互いに逆方向になっている。
【０２７３】
次に、同期光反射ミラー３４の取外方法について説明する。
【０２７４】
図５４及び図５５に示すように、工具（図示省略）で取付具２２４の取付具本体２３６を下方へ押す。工具により押されると、取付具本体２３６は、クリアランスＱ８だけ光学箱１６の床面に向かって下方に移動する。
【０２７５】
このとき、小径部２２２Ｃと係合していたフック部２４０が傾斜部２２２Ｂを通って大径部２２２Ａに移動する。ここで、フック部２４０は、下り傾斜した傾斜部２２２Ｂに当接しながら外側（図５５中矢印Ｉ方向側）に押し広げられ、塑性変形する。
【０２７６】
一方、図５５に示すように、押圧片２３２は、解除部２３４により（図５５中矢印Ｊ方向側）に押し広げられ、塑性変形する。
【０２７７】
フック部２４０及び押圧片２３２が塑性変形することにより、フック部２４０と位置決め部２２２との係合が解除されるとともに、押圧片２３２の同期光反射ミラー３４への押圧が解除される。
【０２７８】
これにより、図５６及び図５７に示すように、取付具２２４と同期光反射ミラー３４を同じ方向（光学箱１６の上側）から取り外すことができる。
【０２７９】
本実施形態では、光学箱１６、同期光反射ミラー３４を再利用することができる。
【０２８０】
なお、上記フック部２４０及び押圧片２３２を塑性変形させたが、弾性変形させてもよい。フック部２４０及び押圧片２３２を弾性変形させることにより、フック部２４０及び押圧片２３２が破損することがないので、取付具２２４自体を再利用することができる。
【０２８１】
次に、本発明の第１０実施形態に係る光学走査装置について説明する。
【０２８２】
なお、第１実施形態と同様の構成には同符号を付し、説明を適宜省略する。
【０２８３】
図５８に示すように、同期光反射ミラー３４の裏面側に位置する光学箱１６の床面には、凹部２４２が形成されている。凹部２４２の深さは、Ｑ９に設定されている。
【０２８４】
凹部２４２であって同期光反射ミラー３４側の反対側の略中央には、位置決め部２４４が形成されている。この位置決め部２４４は、小径部２４４Ｃと、傾斜部２４４Ｂと、大径部２４４Ａと、で構成されている。
【０２８５】
また、凹部２４２の内部であって位置決め部２４４の近傍には、位置決めボス２４６がそれぞれ形成されている。さらに、凹部２４２の同期光反射ミラー３４側の略中央には、解除部２４８が形成されている。
【０２８６】
一方、取付具２５０は、第９実施形態の取付具２２４の取付具本体２３６に支持片２５２が一体形成された構成になっている。
【０２８７】
この支持片２５２は押圧片２５４及び開口部２５６が形成された以外の各辺の略中央にそれぞれ１つずつ形成されており、支持片２５２の長さはフック部２５８の長さよりも長く設定されている。
【０２８８】
すなわち、取付具本体２６０をクリアランスＱ９移動させたときに、フック部２５８が塑性変形し、支持片２５２は弾性変形する長さを実験で求め、支持片２５２の長さが設定されている。
【０２８９】
この取付具２５０の取付けは、同期光反射ミラー３４を支持部材３８で支持させた後、光学箱１６の上方から取付具２５０を侵入させる。取付具本体２６０に形成された開口部２５６に位置決め部２４４を挿通させ、丸孔２６２及び長孔２６４に位置決めボス２４６をそれぞれ挿通させる。
【０２９０】
支持片２５２が光学箱１６の凹部２４２ではない床面（基準面Ｈ）に位置とたときに、フック部２５８が小径部２４４Ｃと係合し、押圧片２５４が同期光反射ミラー３４の裏面３４Ｂを押圧する。これにより、同期光反射ミラー３４は取付具２５０により完全に取り付けられる。取付具２５０の取付時において、特殊な冶具５６（図４参照）が不要である。
【０２９１】
一方、分解時には、図５９に示すように、工具５８により取付具本体２６０を押し込む。工具５８により押し込まれると、取付具本体２６０は凹部２４２側にクリアランスＱ９だけ撓んで弾性変形する。
【０２９２】
取付具本体２６０が凹部２４２側に弾性変形すると、フック部２５８が傾斜部２４４Ｂにより図５９中矢印Ｋ方向に押し広げられ、上式（４）、（５）で示した関係を満足したフック部２５８が塑性変形する。このとき、押圧片２５４が解除部２４８により図５９中矢印Ｌ方向に押し広げられ、押圧片２５４が塑性変形する。
【０２９３】
これにより、図６０に示すように、取付具２５０及び同期光反射ミラー３４を取り外すことができる。
【０２９４】
ここで、上記フック部２５８及び押圧片２５４は塑性変形するが、支持片２５２は弾性変形する。すなわち、支持片２５２は弾性を維持しているため、取付具本体１６０から工具５８を除去させると、取付具２５０は上方へ跳ね上がる。このため、作業者が取付具２５０を回収し易くなり、分解作業時間を短縮できる。
【０２９５】
本実施形態でも、光学箱１６及び同期光反射ミラー３４を再利用できる。
【０２９６】
また、取付具２５０のフック部２５８を弾性変形させることにより、取付具２５０も再利用できる。
【０２９７】
次に、本発明の第１１実施形態に係る光学走査装置について説明する。
【０２９８】
なお、第１実施形態と同様の構成には同符号を付し、説明を適宜省略する。
【０２９９】
図６１に示すように、同期光反射ミラー３４の裏面側に位置する光学箱１６の床面には、凹部２７０が形成されている。凹部２７０の深さは、Ｑ１０に設定されている。
【０３００】
また、凹部２７０を基準として同期光反射ミラー３４側の反対側には、全体として円柱状の位置決め部２７２が形成されている。
【０３０１】
なお、本実施形態では、押圧片を押し広げる解除部と位置決めボスは形成されていない。
【０３０２】
一方、取付具２７４は、第９実施形態の取付具２２４（図５２参照）と基本的に同様の構成である。但し、第９実施形態の取付具２２４に形成されていた丸孔２２６及び長孔２２８は形成されていない。
【０３０３】
図６１及び図６２に示すように、同期光反射ミラー３４が支持部材３８に支持された後、取付具本体２７６に形成された開口部２７８に位置決め部２７２を挿通させ、フック部２８０と位置決め部２７２とを係合させる。
【０３０４】
ここで、取付具２７４は、取付具本体２７６が凹部２７０上に位置するように光学箱１６の床面（凹部２７０を除く）に取り付けられる。したがって、取付具２７４の取付時において、特殊な冶具は不要となる。
【０３０５】
このとき、押圧片２８２が同期光反射ミラー３４の裏面３４Ｂを押圧し、同期光反射ミラー３４が確実に固定される。
【０３０６】
次に、同期光反射ミラー３４を取り外すときには、図６３及び図６４に示すように、工具（図示省略）により凹部２７０上に位置する取付具本体２７６の一部を凹部２７０側にクリアランスＱ１０だけ押し込み、取付具本体２７６自体を塑性変形させる。
【０３０７】
このとき、フック２８０と位置決め部２７２との係合が解除され、押圧片２８２の同期光反射ミラー３４への押圧が解除されるため、取付具２７４及び同期光反射ミラー３４を取り外すことができる。
【０３０８】
本実施形態では、光学箱１６及び同期光反射ミラー３４を再利用できる。
【０３０９】
また、取付具２７４の取付具本体２７６を弾性変形させることにより、取付具２７４も再利用できる。
【０３１０】
なお、本実施形態では、光学箱１６に位置決めボスが形成されていないため、衝撃振動等により、フック部２８０と位置決め部２７２との係合が解除され取付具２７４がずれることが懸念される場合には、図１４及び図１５に示すように、フック部２８０の先端に位置決め部１７２の外周の一部と嵌合する切欠きを形成し、取付具２７４のズレを防止してもよい。
【０３１１】
次に、本発明の第１２実施形態に係る光学走査装置について説明する。
【０３１２】
なお、第１実施形態と同様の構成には同符号を付し、説明を適宜省略する。
【０３１３】
図６７及び図６８に示すように、同期光反射ミラー３４の裏面側に位置する光学箱１６の床面には、凹部２８４が形成されている。凹部２８４の深さは、Ｑ１１に設定されている。
【０３１４】
また、同期光反射ミラー３４の長手方向に対して略垂直方向に延びる凹部２８４の開口縁２８６には、円柱状の第１位置決め部２８８及び第２位置決め部２９０が所定の間隔を空けてそれぞれ形成されている。
【０３１５】
一方、取付具２９２は、弾性体で構成されており、取付具本体２９４と押圧片２９６とで構成されている。
【０３１６】
取付具本体２９４には、端部側に開放した第３開口部２９８が形成されており、その開口縁の略中央には開放側に向かって第１フック部３００が形成されている。
【０３１７】
また、第１開口部２９８の同期光反射ミラー３４側には、第４開口部３０２が形成されており、その開口縁の略中央には開放側と反対側に向かって第２フック部３０４が形成されている。すなわち、第１フック部３００と第２フック部３０４とはそれぞれ反対側に延びている。
【０３１８】
ここで、第１フック部３００及び第２フック部３０４と第１位置決め部２８８及び第２位置決め部２９０との関係は、以下のように設定されている。
【０３１９】
取付具２９２が取付けられる前の第１フック部３００の先端部と第２フック部３０４の先端部との離間距離をＧ１、取付具２９２が取付けられている時（各フック部３００、３０４と各位置決め部２８８、２９０との係合時）のそれらの離間距離をＧ２、取外後のそれらの離間距離をＧ３とし、第１位置決め部２８８及び第２位置決め部２９０の最短距離をＨとした場合、
取付具２９２が取付けられる前と、各フック部３００、３０４が各位置決め部２８８、２９０と係合しているときでは、
Ｇ１≧Ｈ、かつ、Ｇ２＝Ｈ………（７）
を満足するように設定されている。
【０３２０】
また、取付具２９２が取り外された状態では、
Ｇ３≧Ｈ、かつ、Ｇ２＝Ｈ………（８）
を満足するように設定されている。
【０３２１】
一方、取付具本体２９４の外周には、前記第２フック部３０４と同じ方向に向かって延びる押圧片２９６が形成されている。
【０３２２】
取付具２９２の取付け時には、図６７に示すように、第１位置決め部２８８が第３開口部２９８に、第２位置決め部２９０が第４開口部３０２にそれぞれ挿通される。
【０３２３】
そして、第１フック部３００が第１位置決め部２８８と係合させ、第２フック部３０４が第２位置決め部２９０と係合させる。このとき、押圧片２９６は、同期光反射ミラー３４の裏面３４Ｂを押圧する。
【０３２４】
これにより、同期光反射ミラー３４は確実に固定される。したがって、取付具２９２の取付け時において、冶具は不要である。
【０３２５】
なお、取付具２９２が取り付けられた状態では、取付具本体２９４の片側半分が凹部２８４上に位置している。
【０３２６】
一方、取付具２９２を取り外す時には、図６９及び図７０に示すように、工具（図示省略）により凹部２８４上に位置する取付具本体２９４の一部を凹部２８４側にクリアランスＱ１１だけ押し込み、取付具２９２全体を傾斜させる。
【０３２７】
このとき、第１フック部３００と第１位置決め部２８８及び第２フック部３０４と第２位置決め部２９０との係合が解除され、押圧片２９６の同期光反射ミラー３４への押圧が解除されるため、図７２及び図７３に示すように、取付具２９２及び同期光反射ミラー３４を取り外すことができる。
【０３２８】
本実施形態では、光学箱１６及び同期光反射ミラー３４を再利用することができる。
【０３２９】
また、上式（７）、（８）を満足するように設定されているので、取付具２９２の各フック部３００、３０２が弾性変形し、取付具２９２の再利用も可能となる。
【０３３０】
なお、本実施形態では、光学箱１６に位置決めボスが形成されていないため、衝撃振動等により、各フック部３００、３０４と各位置決め部２８８、２９０との係合が解除され取付具２９２がずれることが懸念される場合には、図１４及び図１５に示すように、各フック部３００、３０４の先端に各位置決め部２８８、２９０の外周の一部と嵌合する切欠きを形成し、取付具２９２のズレを防止してもよい。
【０３３１】
次に、本発明の第１３実施形態に係る光学走査装置について説明する。
【０３３２】
なお、第１実施形態と同様の構成には同符号を付し、説明を適宜省略する。
【０３３３】
図７３及び図７４に示すように、本実施形態の光学部品取付構造では、第１２実施形態のを一部変更したものである。本実施形態の光学箱１６の床面には、凹部は形成されていない。
【０３３４】
取付具３０６は、取付具本体３０８と押圧片３１０を備えている。
【０３３５】
取付具本体３０８には第３開口部３１２及び第４開口部３１４が形成されており、第３開口部３１２には第３フック部３１６が形成されており、第４開口部３１４には第４フック部３１８が形成されている。
【０３３６】
但し、第３フック部３１６及び第４フック部３１８は、それぞれの開口縁の略中央ではなく、いずれか一方の端部側に寄っている。すなわち、第３フック部３１６で区画される第３開口部３１２の開口面積は左右で異なっており、第４フック部３１８で区画される第４開口部３１４の開口面積は左右で異なっている。
【０３３７】
取付具３０６の取付時には、この取付具本体３０８の第３開口部３１２及び第４開口部３１４に第３位置決め部３２０及び第２位置決め部３２２が挿通するように取付具３０６が取り付けられる。本実施形態でも、取付時において特殊な冶具が不要である。
【０３３８】
このとき、取付具本体３０８が光学箱１６の床面と面接し、第３フック部３１６及び第４フック部３１８が第３位置決め部３２０及び第４位置決め部３２２と係合するとともに、押圧片３１０が同期光反射ミラー３４の裏面３４Ｂを押圧する。これにより、同期光反射ミラー３４は確実に固定される。
【０３３９】
一方、図７５及び図７６に示すように、同期光反射ミラー３４を取り外すときには、工具（図示省略）により第３位置決め部３２０及び第４位置決め部３２２を第３開口部３１２及び第４開口部３１４の開口面積の広い領域に位置させるように、取付具本体３０８を同期光反射ミラー３４の長手方向（図７５中矢印Ｍ方向）沿って押し込む。
【０３４０】
これにより、取付具３０６は光学箱１６の床面上を移動し、第３フック部３１６と第３位置決め部３２０、及び第４フック部３１８と第４位置決め部３２２との係合がそれぞれ解除される。
【０３４１】
この結果、図７７及び図７８に示すように、押圧片３１０の同期光反射ミラー３４への押圧を解除でき、取付具３０６及び同期光反射ミラー３４を取り外すことができる。
【０３４２】
本実施形態では、光学箱１６及び同期光反射ミラー３４を再利用することができる。
【０３４３】
特に、各フック部３１６、３１８は上式（７）、（８）を満足するように設定されているので、各フック部３１６、３１８が弾性変形し、取付具３０６の再利用も可能となる。
【０３４４】
なお、本実施形態では、光学箱１６に位置決めボスが形成されていないため、衝撃振動等により、各フック部３１６、３１８と各位置決め部３２０、３２２との係合が解除され取付具３０６がずれることが懸念される場合には、図１４及び図１５に示すように、各フック部３１６、３１８の先端に各位置決め部３２０、３２２の外周の一部と嵌合する切欠きを形成し、取付具３０６のズレを防止してもよい。
【０３４５】
次に、本発明の第１４実施形態に係る光学走査装置について説明する。
【０３４６】
なお、第１実施形態と同様の構成には同符号を付し、説明を適宜省略する。
【０３４７】
図７９に示すように、光学箱１６には同期光反射ミラー３４を支持する支持部材３８が形成されている。同期光反射ミラー３４は、この支持部材３８により支持される。
【０３４８】
また、同期光反射ミラー３４の裏面側には、円柱状の位置決めボス３２４が形成されている。この位置決めボス３２４を基準として同期光反射ミラー３４側には、第５位置決め部３２６が形成されている。また、この位置決めボス３２４を基準として同期光反射ミラー３４側と反対側には、第６位置決め部３２８が形成されている。
【０３４９】
一方、取付具３３０は、取付具本体３３２と、同期光反射ミラー３４の裏面を押圧する押圧片３３４と、で構成されている。なお、取付具３３０は、全体として弾性体で構成されている。
【０３５０】
図７９に示すように、取付具本体３３２の略中央には、位置決めボス３２４が挿通する丸孔３３６が形成されている。また、取付具本体３３２には、第５位置決め部３２６と係合する第５フック部３３８が、また、第６位置決め部３２８と係合する第６フック部３４０が、それぞれ形成されている。
【０３５１】
取付具３３０の取付時には、取付具本体３３２の丸孔３３６に位置決めボス３２４を挿通する。そして、各フック部３３８、３４０がそれぞれ各位置決め部３２６、３２８と係合するように調整する。
【０３５２】
各フック部３３８、３４０がそれぞれ各位置決め部３２６、３２８と係合している状態では、押圧片３３４は同期光反射ミラー３４の裏面３４Ｂを押圧している。これにより、同期光反射ミラー３４が確実に固定される。
【０３５３】
なお、取付具本体３３２を光学箱１６の床面上に位置させているため、取付時において特殊な冶具は不要である。
【０３５４】
一方、同期光反射ミラー３４の取外し時には、図８０に示すように、取付具３３０を位置決めボス３２４を中心として図７９中矢印Ｎ方向へ回転させる。この回転により、各フック部３３８、３４０と各位置決め部３２６、３２８との係合が解除されるとともに、押圧片３３０の同期光反射ミラー３４の裏面３４Ｂへの押圧も解除される。これにより、取付具３３０及び同期光反射ミラー３４を取り外すことができる。
【０３５５】
本実施形態では、光学箱１６及び同期光反射ミラー３４を再利用することができる。
【０３５６】
特に、取付具３３０の各フック部３３８、３４０は上式（７）、（８）を満足するように設定されているので、各フック部３３８、３４０は弾性変形し、取付具３３０も再利用できる。
【０３５７】
【発明の効果】
本発明の光学部品取付構造及び光学走査装置によれば、被取付部材、光学部品及び光学部品取付具を再利用することができ、また、被取付部材を再利用しても光学部品の位置精度の低下を防止できる。
【図面の簡単な説明】
【図１】  本発明の光学走査装置の概略構成図である。
【図２】  本発明の第１実施形態の光学部品取付構造の分解斜視図である。
【図３】  図２の部分断面図である。
【図４】  本発明の第１実施形態の光学部品取付構造の斜視図である。
【図５】  図４の部分断面図である。
【図６】  光学部品が光学部品取付具により取付けられた状態を示す状態図である。
【図７】  図６の部分断面図である。
【図８】  工具により光学部品取付具を押す状態の斜視図である。
【図９】  図８の部分断面図である。
【図１０】  工具により光学部品取付具を押した状態の斜視図である。
【図１１】  図１０の部分断面図である。
【図１２】  光学部品取付具及び光学部品を取り外す状態の状態図である。
【図１３】  図１２の部分断面図である。
【図１４】  本発明の光学部品取付構造を構成する光学部品取付具の平面図である。
【図１５】  本発明の光学部品取付構造を構成する光学部品取付具の平面図である。
【図１６】  第１実施形態に係る光学部品取付構造とは別形態の光学部品取付構造を示した分解斜視図である。
【図１７】  第１実施形態に係る光学部品取付構造とは別形態の光学部品取付構造を示した斜視図である。
【図１８】  図１６の光学部品取付構造を構成するスペーサを取り除いた状態の状態図である。
【図１９】  第１実施形態に係る光学部品取付構造を構成する位置決め部の斜視図である。
【図２０】  第１実施形態に係る光学部品取付構造を構成する位置決め部の斜視図である。
【図２１】  第１実施形態に係る光学部品取付構造を構成する位置決め部の斜視図である。
【図２２】  本発明の第１実施形態の光学部品取付構造の作用前の斜視図である。
【図２３】  本発明の第１実施形態の光学部品取付構造の作用後の斜視図である。
【図２４】  本発明の第１実施形態の光学部品取付構造の作用前の斜視図である。
【図２５】  本発明の第１実施形態の光学部品取付構造の作用後の斜視図である。
【図２６】  本発明の第２実施形態の光学部品取付構造の作用前の斜視図である。
【図２７】  本発明の第２実施形態の光学部品取付構造の作用後の斜視図である。
【図２８】  光学部品取付具及び光学部品を取り外す状態の状態図である。
【図２９】  本発明の第３実施形態の光学部品取付構造の作用前の斜視図である。
【図３０】  本発明の第３実施形態の光学部品取付構造の作用前の部分断面図である。
【図３１】  本発明の第３実施形態の光学部品取付構造の作用後の斜視図である。
【図３２】  本発明の第３実施形態の光学部品取付構造の作用後の部分断面図である。
【図３３】  光学部品取付具及び光学部品を取り外す状態の斜視図である。
【図３４】  光学部品取付具及び光学部品を取り外す状態の部分断面図である。
【図３５】  本発明の第４実施形態の光学部品取付構造の作用前の斜視図である。
【図３６】  本発明の第４実施形態の光学部品取付構造の作用前の部分断面図である。
【図３７】  本発明の第４実施形態の光学部品取付構造の作用後の斜視図である。
【図３８】  本発明の第４実施形態の光学部品取付構造の作用後の部分断面図である。
【図３９】  光学部品取付具及び光学部品を取り外す状態の斜視図である。
【図４０】  光学部品取付具及び光学部品を取り外す状態の部分断面図である。
【図４１】  本発明の第５実施形態の光学部品取付構造の作用前の斜視図である。
【図４２】  本発明の第５実施形態の光学部品取付構造の作用前の部分断面図である。
【図４３】  本発明の第５実施形態の光学部品取付構造の作用後の斜視図である。
【図４４】  本発明の第５実施形態の光学部品取付構造の作用後の部分断面図である。
【図４５】  光学部品取付具及び光学部品を取り外す状態の斜視図である。
【図４６】  光学部品取付具及び光学部品を取り外す状態の部分断面図である。
【図４７】  本発明の第６実施形態の光学部品取付構造の作用前の斜視図である。
【図４８】  本発明の第７実施形態の光学部品取付構造の作用前の斜視図である。
【図４９】  本発明の第７実施形態の光学部品取付構造を構成する位置決め部及びガイド部材の斜視図である。
【図５０】  本発明の第８実施形態の光学部品取付構造の作用前の斜視図である。
【図５１】  本発明の第８実施形態の光学部品取付構造の作用後の斜視図である。
【図５２】  本発明の第９実施形態の光学部品取付構造の作用前の斜視図である。
【図５３】  本発明の第９実施形態の光学部品取付構造の作用前の部分断面図である。
【図５４】  本発明の第９実施形態の光学部品取付構造の作用後の斜視図である。
【図５５】  本発明の第９実施形態の光学部品取付構造の作用後の部分断面図である。
【図５６】  光学部品取付具及び光学部品を取り外す状態の斜視図である。
【図５７】  光学部品取付具及び光学部品を取り外す状態の部分断面図である。
【図５８】  本発明の第１０実施形態の光学部品取付構造の作用前の斜視図である。
【図５９】  本発明の第１０実施形態の光学部品取付構造の作用後の斜視図である。
【図６０】  光学部品取付具及び光学部品を取り外す状態の斜視図である。
【図６１】  本発明の第１１実施形態の光学部品取付構造の作用前の斜視図である。
【図６２】  本発明の第１１実施形態の光学部品取付構造の作用前の部分断面図である。
【図６３】  本発明の第１１実施形態の光学部品取付構造の作用後の斜視図である。
【図６４】  本発明の第１１実施形態の光学部品取付構造の作用後の部分断面図である。
【図６５】  光学部品取付具及び光学部品を取り外す状態の斜視図である。
【図６６】  光学部品取付具及び光学部品を取り外す状態の部分断面図である。
【図６７】  本発明の第１２実施形態の光学部品取付構造の作用前の斜視図である。
【図６８】  本発明の第１２実施形態の光学部品取付構造の作用前の部分断面図である。
【図６９】  本発明の第１２実施形態の光学部品取付構造の作用後の斜視図である。
【図７０】  本発明の第１２実施形態の光学部品取付構造の作用後の部分断面図である。
【図７１】  光学部品取付具及び光学部品を取り外す状態の斜視図である。
【図７２】  光学部品取付具及び光学部品を取り外す状態の部分断面図である。
【図７３】  本発明の第１３実施形態の光学部品取付構造の作用前の斜視図である。
【図７４】  本発明の第１３実施形態の光学部品取付構造の作用前の部分断面図である。
【図７５】  本発明の第１３実施形態の光学部品取付構造の作用後の斜視図である。
【図７６】  本発明の第１３実施形態の光学部品取付構造の作用後の部分断面図である。
【図７７】  光学部品取付具及び光学部品を取り外す状態の斜視図である。
【図７８】  光学部品取付具及び光学部品を取り外す状態の部分断面図である。
【図７９】  本発明の第１４実施形態の光学部品取付構造の作用前の斜視図である。
【図８０】  本発明の第１４実施形態の光学部品取付構造の作用後の斜視図である。
【図８１】  従来技術の光学走査装置の斜視図である。
【図８２】  従来の光学部品取付構造の斜視図である。
【図８３】  従来の光学部品取付構造の作用図である。
【図８４】  従来の光学部品取付構造の断面図である。
【図８５】  従来の光学部品取付構造の作用図である。
【図８６】  従来の光学部品取付構造の断面図である。
【図８７】  従来の光学部品取付構造の断面図である。
【図８８】  ポリゴンモータの構成図である。
【図８９】  ポリゴンモータがハウジングに取付けられた状態を示す状態図である。
【図９０】  ハウジングの部分断面図である。
【符号の説明】
１０        光学走査装置
１６        光学箱（被取付部材）
１８        光源
２８        ｆθレンズ（光学部品）
３０        反射ミラー（光学部品）
３２        被走査体
３４        同期光反射ミラー（光学部品）
３６        取付具（光学部品取付具）
４０        フック部（係合部）
４２        位置決め部
４２Ｂ      傾斜部（拡開部）
５２        押圧片（押圧部）
６０        切欠き
６２        切欠き
６８        段差
７２        取付具（光学部品取付具）
７４        位置決め部
７４Ｂ      傾斜部（拡開部）
８０        押圧片（押圧部）
９２        取付具（光学部品取付具）
９４        位置決め部
９４Ｂ      傾斜部（拡開部）
１０６      前後方向レバー（押圧部）
１１２      凹部
１２４      支持片（支持部）
２３４      解除部
【図１】
0004081989.tif 000002
【図２】
0004081989.tif 000003
【図３】
0004081989.tif 000004
【図４】
0004081989.tif 000005
【図５】
0004081989.tif 000006
【図６】
0004081989.tif 000007
【図７】
0004081989.tif 000008
【図８】
0004081989.tif 000009
【図９】
0004081989.tif 000010
【図１０】
0004081989.tif 000011
【図１１】
0004081989.tif 000012
【図１２】
0004081989.tif 000013
【図１３】
0004081989.tif 000014
【図１４】
0004081989.tif 000015
【図１５】
0004081989.tif 000016
【図１６】
0004081989.tif 000017
【図１７】
0004081989.tif 000018
【図１８】
0004081989.tif 000019
【図１９】
0004081989.tif 000020
【図２０】
0004081989.tif 000021
【図２１】
0004081989.tif 000022
【図２２】
0004081989.tif 000023
【図２３】
0004081989.tif 000024
【図２４】
0004081989.tif 000025
【図２５】
0004081989.tif 000026
【図２６】
0004081989.tif 000027
【図２７】
0004081989.tif 000028
【図２８】
0004081989.tif 000029
【図２９】
0004081989.tif 000030
【図３０】
0004081989.tif 000031
【図３１】
0004081989.tif 000032
【図３２】
0004081989.tif 000033
【図３３】
0004081989.tif 000034
【図３４】
0004081989.tif 000035
【図３５】
0004081989.tif 000036
【図３６】
0004081989.tif 000037
【図３７】
0004081989.tif 000038
【図３８】
0004081989.tif 000039
【図３９】
0004081989.tif 000040
【図４０】
0004081989.tif 000041
【図４１】
0004081989.tif 000042
【図４２】
0004081989.tif 000043
【図４３】
0004081989.tif 000044
【図４４】
0004081989.tif 000045
【図４５】
0004081989.tif 000046
【図４６】
0004081989.tif 000047
【図４７】
0004081989.tif 000048
【図４８】
0004081989.tif 000049
【図４９】
0004081989.tif 000050
【図５０】
0004081989.tif 000051
【図５１】
0004081989.tif 000052
【図５２】
0004081989.tif 000053
【図５３】
0004081989.tif 000054
【図５４】
0004081989.tif 000055
【図５５】
0004081989.tif 000056
【図５６】
0004081989.tif 000057
【図５７】
0004081989.tif 000058
【図５８】
0004081989.tif 000059
【図５９】
0004081989.tif 000060
【図６０】
0004081989.tif 000061
【図６１】
0004081989.tif 000062
【図６２】
0004081989.tif 000063
【図６３】
0004081989.tif 000064
【図６４】
0004081989.tif 000065
【図６５】
0004081989.tif 000066
【図６６】
0004081989.tif 000067
【図６７】
0004081989.tif 000068
【図６８】
0004081989.tif 000069
【図６９】
0004081989.tif 000070
【図７０】
0004081989.tif 000071
【図７１】
0004081989.tif 000072
【図７２】
0004081989.tif 000073
【図７３】
0004081989.tif 000074
【図７４】
0004081989.tif 000075
【図７５】
0004081989.tif 000076
【図７６】
0004081989.tif 000077
【図７７】
0004081989.tif 000078
【図７８】
0004081989.tif 000079
【図７９】
0004081989.tif 000080
【図８０】
0004081989.tif 000081
【図８１】
0004081989.tif 000082
【図８２】
0004081989.tif 000083
【図８３】
0004081989.tif 000084
【図８４】
0004081989.tif 000085
【図８５】
0004081989.tif 000086
【図８６】
0004081989.tif 000087
【図８７】
0004081989.tif 000088
【図８８】
0004081989.tif 000089
【図８９】
0004081989.tif 000090
【図９０】
0004081989.tif 000091